(57)【特許請求の範囲】
【請求項１】
相互に接続された複数のサブネットワーク間を移動して通信を行なうことが可能な移動端末であって、
接続中のサブネットワーク内のルータからプレフィックス情報を含まないルータアドバタイズメントを受信する手段と、
直前に属していたサブネットワークから別のサブネットワークへ移動したことを、このアドバタイズメントと、直前に属していたサブネットワークのプレフィックス情報から推定したプレフィックス値とから得られるサブネット・アドレスに基づいて検出する手段と、
前記検出する手段により、属するサブネットワークを移動した可能性があると検出した場合、接続中のサブネットワークのネットワーク情報を要求するソリサイテーション・パケットを送信する手段とを備えたことを特徴とする移動端末。
【請求項２】
相互に接続された複数のサブネットワーク間を移動して通信を行なうことが可能な移動端末における、直前に属していたサブネットワークから別のサブネットワークへ移動したことを検出する移動検出方法であって、
前記移動端末が接続するサブネットワーク内のルータが送信したネットワークプレフィックス情報を含まない、ネットワーク上の位置情報を示すルータアドバタイズメントを受信する第１のステップと、
このアドバタイズメントと、直前に属していたサブネットワークのプレフィックス情報とから接続中のサブネットワークのプレフィックス情報を決定する第２のステップと、
前記アドバタイズメントからサブネット・アドレスを導出する第３のステップと、
サブネットワークを移る前の前記移動端末が接続されたサブネットワークのサブネット・アドレスと移動後のサブネット・アドレスを比較する第４のステップとを備え、
これらのサブネット・アドレスの相違を元に移動端末が移動したことを検出することを特徴とする移動検出方法。
【請求項３】
相互に接続された複数のサブネットワーク間を移動して通信を行なうことが可能な移動端末であって、
移動端末が接続するサブネットワーク内のルータが送信したプレフィックス情報を含まない、ネットワーク上の位置情報を示すルータアドバタイズメントを受信する第１の手段と、
このアドバタイズメントと、直前に属していたサブネットワークのプレフィックス情報とから接続中のサブネットワークのプレフィックス情報を決定する第２の手段と、
前記アドバタイズメントからサブネット・アドレスを導出する第３の手段と、
サブネットワークを移る前に接続していたサブネットワークのサブネット・アドレスと移動後のサブネット・アドレスを比較する第４の手段と、
これらのサブネット・アドレスの比較結果から接続先のサブネットワークを移動したことを検出した後、ソリサイテーション・パケットを送信する第５の手段とを備えたことを特徴とする移動端末。
【発明の詳細な説明】
【０００１】
【発明の属する技術分野】
本発明は、インターネット内の移動端末の移動をサポートするＩＥＴＦ  Ｍｏｂｉｌｅ  ＩＰプロトコルに準拠する移動検出装置を備えた移動端末に関する。
【０００２】
【従来の技術】
インターネットに接続された移動端末については、ＩＥＴＦ(Internet Engineering Task Force)が発行するＲＦＣ２００２に準拠する製品が増加している。特に、移動端末のネットワーク間の移動をサポートするＩＥＴＦ  ＭｏｂｉｌｅＩＰプロトコルによれば、図２に示すように、ネットワークに接続されたルータ９やホーム・エージェント１０（Home Agent）、およびフォーリン・エージェント１１（Foreign Agent）は４５０秒から６００秒という一定周期毎にルータ９やエージェント１０，１１のネットワーク上の位置を通知する目的でルータ・アドバタイズメント１２もしくはエージェント・アドバタイズメント１３と呼ばれるパケットを、サブネットワーク内のすべての機器に送信している。
【０００３】
移動端末１４が接続先のネットワークの移動を検出する方法として、前記ＲＦＣ２００２には二つのアルゴリズムが提起されている。
【０００４】
その一つは、図３に示すような、ホーム・エージェント１０やフォーリン・エージェント１１が定期的に送信するエージェント・アドバタイズメント１３中に含まれるモバイルＩＰ拡張部分１６のＲｅｇｉｓｔｒａｔｉｏｎ  Ｌｉｆｅｔｉｍｅのデータを利用する方法である。この利用期限データはエージェント１０，１１により定期的に更新されるので、その期限切れ（データが更新されていないこと）を検査することで移動したかどうかを知ることができる。
【０００５】
もう一つは、移動端末１４が一定間隔でエージェント・アドバタイズメント１３と呼ばれるパケットを受信したときに、この前後２つのパケット内に含まれるプレフィックス情報を比較し、もしもこのプレフィックス情報が一致しなければ移動端末がサブネットワーク間を移動したと判断する方法である。しかしならがこの方法による場合には、移動前後の双方のサブネットワーク上に、前記プレフィックス情報を含むエージェント・アドバタイズメントを送信するホーム・エージェントやフォーリン・エージェントが存在しなければならないという制約がある。
【０００６】
図４に示すようにインターネット上のアドレスはサブネットワークに属する端末の数に応じて以下のようなＩＰアドレスの種別がある。
ａ）クラスＡ
16,777,214(=2の24乗-2)台の端末まで収容可能である。このときネットワーク・アドレスの先頭ピット列は０で始まり、上位８ビットまでがネットワーク・アドレスとして扱われる。プレフィックスは先頭８ビットである。
ｂ）クラスＢ
65,533(=2の16乗-2)台の端末まで収容可能である。このときネットワーク・アドレスの先頭ビット列は１０で始まり、上位１６ビットまでがネットワーク・アドレスとして扱われる。プレフィックスは先頭１６ビットである。
ｃ）クラスＣ
253(2の8乗-2)台の端末まで収容可能である。このときネットワーク・アドレスの先頭ビット列は１１０で始まり、上位２４ビットまでがネットワーク・アドレスとして扱われる。プレフィックスは先頭２４ビットである。
上記の３つのクラスを使用したネットワークのサブネット・アドレスのことを「クラスフル・アドレス」と呼ぶ。
【０００７】
パケットの伝送効率等の問題から、クラスＡ、クラスＢの場合でも、クラスフル・アドレスの状態で運用することは稀であり、通常はクラス毎に規定されたネットワーク・アドレスを表す上位ビットの数よりも多くのピット（たとえば２４ビットまで）をプレフィックスとしたサブネットワークで運用されている。
このようにプレフィックスをクラスフル・アドレスのプレフィックスよりも多くとり運用しているサブネット・アドレスのことを「クラスレス・アドレス」とよぶ。
【０００８】
ネットワーク上のルータからは、ルータ・アドバタイズメント１２が一定周期毎、あるいは要求された時に送信され、ホーム・エージェント１０、フォーリン・エージェント１１からも同様にエージェント・アドバタイズメント１３が送信される。図３に示すエージェント・アドバタイズメントはルータ・アドバタイズメントを規格拡張したものであり、ルータ・アドバタイズメントのパケット情報の後に必ずモバイルＩＰのための拡張部分１６が追加されている。
エージェント・アドバタイズメント１３には、モバイルＩＰ拡張部分の後にネットワーク・アドレスを示すプレフィックス拡張部分１７を含めることができる。ルータ・アドバタイズメント１２にはこのプレフィックス情報が含まれていない。
【０００９】
このため、たとえば移動端末が先にルータ・アドバタイズメント１２を受信した場合には、受信したルータ・アドバタイズメントにプレフィックス拡張部分１７が含まれていないので、現在接続されているサブネットワークのプレフィックス情報はアドレスのビット列から判断できるクラスフル・アドレスとして運用されていると仮に推定しなければならない。
【００１０】
このとき接続しているサブネットワークがクラスフル・アドレスとして運用されていた場合はプレフィックス情報の推定が正しいため通信上問題とはならないが、クラスレス・アドレスとして運用されていた場合には、プレフィックス情報の設定に不整合を生じ宛先のアドレスによっては一切の通信ができないという問題が発生する。
【００１１】
【発明が解決しようとする課題】
移動端末が移動した場合、またはネットワーク／カードの挿入など何らかの方法で、接続しているサブネットワークが変更したことを検出することはできる。この場合、ルータ・アドバタイズメントまたはエージェント・アドバタイズメントを受信するまでは、その新たに接続されたサブネットワークのネットワーク情報を確定することができない。この情報取得までの最長６００秒の期間、一切の通信ができない場合がある。
そのため、本発明は、移動端末が移動した場合においてすみやかにネットワーク情報を取得して通信可能とすることを課題とする。
【００１２】
【課題を解決するための手段】
本発明は、先のＲＦＣ２００２の規定を利用してネットワーク情報をすみやかに取得するものである。ここで言うネットワーク情報とは、プレフィックス値、ネットマスク、サブネット・アドレス、ｃａｒｅ−ｏｆ  ａｄｄｒｅｓｓを指す。
【００１３】
本発明の第１の発明によれば、相互に接続された複数のサブネットワーク間を移動して通信を行なうことが可能な移動端末であって、ネットワークに接続された移動端末が直前に属していたサブネットワークから別のサブネットワークへ移動したことを検出する手段と、移動先のサブネットワークのネットワーク情報を要求するソリサイテーション・パケットを送信する手段とを備えたことを特徴とする移動端末が提供される。
【００１４】
第１の発明は、ＲＦＣ２００２ではネットワーク上のルータまたはホーム・エージェント、およびフォーリン・エージェントはソリサイテーションと呼ばれるネットワーク上の位置情報を求めるパケットを受信した場合には、ルータ・アドバタイズメントまたはエージェント・アドバタイズメントを求めに応じて送信しなければならないと規定されていることに鑑みて、移動端末が移動を検出した場合にソリタイテーション・パケットを送信するようにした。  例えば移動端末が数回ソリサイテーション・パケットを送信することにより、ルータ・アドバタイズメントまたはエージェント・アドバタイズメントを即座に取得することができる。
【００１５】
また、本発明の第２の発明によれば、相互に接続された複数のサブネットワーク間を移動して通信を行なうことが可能な移動端末における、直前に属していたサブネットワークから別のサブネットワークへ移動したことを検出する移動検出方法であって、ネットワーク上の位置情報を伝達するアドバタイズメントからサブネットワークのプレフィックス情報を決定する第１のステップと、前記アドバタイズメントからサブネット・アドレスを導出する第２のステップと、サブネットワークを移る前の移動端末が接続されたサブネット・アドレスと移動後のサブネット・アドレスを比較する第３のステップとを備え、これらのサブネット・アドレスの相違から移動端末が移動したことを検出することを特徴とする移動検出方法が提供される。
【００１６】
この方法はプレフィックス情報を提供するエージェント・アドバタイズメントが得られない場合にあっても効果を有する。プレフィックス情報が得られる場合はもちろん、得られないような場合にあっても、そのサブネットワークがクラスフル・アドレスで運用されている等仮定することで早期通信確立のための柔軟性を持たせることができる。
【００１７】
【発明の実施の形態】
本発明にかかる移動検出方法の主な流れと考え方は次のようになる。
【００１８】
ａ）接続先サブネットワークの移動検出に先立ち、移動端末がエージェント・アドバタイズメントよりも先に、プレフィックス情報を持たないルータ・アドバタイズメントを受信した場合には、接続先ネットワークのプレフィックス値は直前のプレフィックス情報を用いて確定する。
【００１９】
ｂ）移動端末が、ルータ・アドバタイズメントを受信したとき、プレフィックス情報の推定値から得られたサブネット・アドレスと、直前のネットワーク情報とが異なる場合には接続先サブネットワークが移動したと判断する。このように判断された場合は移動先サブネットワークのプレフィックス値はクラスフル・アドレスで運用されていると再度推定しなおして、当該移動端末はネットワーク情報を要求するソリサイテーション・パケットを送信する。このとき推定しなおされたネットワーク情報は次の移動検出のために記憶される。
【００２０】
ｃ）接続先のネットワーク上にルータまたはホーム・エージェントやフォーリン・エージェントが存在していた場合には、エージェント・アドバタイズメントを送信するので移動端末はこれを受信する。
【００２１】
ｄ）それを受けた移動端末はルータ・アドバタイズメントまたはエージェント・アドバタイズメントの内容から接続先ネットワークのサブネット・アドレスやプレフィックス情報を推定もしくは摘出を行う。そしてこの情報を直前まで記憶していたネットワーク情報と入れ替えて記憶しなおす。そして前記のようにして得られたネットワーク情報によってネットワーク機器の設定変更を行う。
【００２２】
図１に本発明による移動検出装置の実施の態様を示す。
本発明にかかる移動端末の移動検出装置は、ネットワーク情報記憶装置１、サブネット移動検出装置２、サブネット・アドレス計算装置３、プレフィックス摘出装置４、プレフィックス推定装置５、ネットワーク移動検出装置６、ソリサイテーション送信装置７、およびアドバタイズメント受信装置８を有する。
【００２３】
一定周期、あるいはソリサイテーション・パケットの求めに応じて送信された、サブネットワーク上のルータやホーム・エージェント、フォーリン・エージェントからのアドバタイズメント・パケットをアドバタイズメント受信装置８にて受信する。受信された当該アドバタイズメント・パケットはプレフィックス情報の有無により選別されプレフィックス摘出装置４あるいはプレフィックス推定装置５へ転送される。プレフィックス摘出装置４では、アドバタイズメント・パケットに含まれるプレフィックス情報を摘出しサブネットワークのプレフィックス値を確定するが、プレフィックス推定装置５にあっては取得したアドバタイズメント・パケットによって必要とする情報が得られない場合に前述の考え方に従ってネットワークのプレフィックス値を確定する。
【００２４】
どちらに送られた場合であっても移動端末が接続されている現在のサブネットワークのプレフィックス情報が確定され、その結果はアドバタイズメント受信装置８から得られるその他の情報と共にサブネット・アドレス計算装置３に送られる。サブネット・アドレス計算装置３は前記の情報をもとにサブネット・アドレス情報を算出し、この情報とネットワーク情報記憶装置１が保持している直前のネットワーク情報を、サブネット移動検出装置２へ入力する。
【００２５】
サブネット移動検出装置２はこれら２つのネットワーク情報の比較を行い、これらの間に相違が認められた場合は当該移動端末が接続先サブネットワークを移動したものと判断する。このとき算出されたサブネット・アドレスとプレフィックス値等のネットワーク情報を、ネットワーク情報記憶装置１に記憶する。そしてソリサイテーション送信装置７に対してソリサイテーション・パケットの送信を指示する。ソリサイテーション・パケット送信装置７は、ＲＦＣ２００２に準拠したソリサイテーション・パケットをネットワークに送信する。
【００２６】
ここでプレフィックス情報を持ったアドバタイズメントが取得できたならば、アドバタイズメント受信装置８、プレフィックス抽出装置４、サブネット・アドレス計算装置３のように同様のステップを踏みネットワーク情報を再確定する。この確定された情報はネットワーク情報記憶装置１の情報と置き換えられる。
【００２７】
この手段に限定されず、何らかの方法、たとえばネットワーク・カードの挿入等の操作によりネットワーク移動検出装置６によって当該移動端末が接続先サブネットワークを移動したものと判断された場合にも、ソリサイテーション送信装置７に対してソリサイテーション・パケットの送信を指示する。
【００２８】
図２に示すモバイルネットワークシステムにはＭｏｂｉｌｅ  ＩＰに関係する要素の一例として、ルータ９、ホーム・エージェント１０、フォーリン・エージェント１１、および移動端末１４が示されている。ルータ９はルータ・アドバタイズメント１２を一定期間毎に各機器に送信しており、またホーム・エージェント１０およびフォーリン・エージェント１１はエージェント・アドバタイズメント１３を一定期間毎に送信している。これらを受信した移動端末１４は、自身が接続されているネットワーク情報を知ることができる。
【００２９】
移動端末１４が別のサブネットワークに移動した場合には、前記のような移動端末がサブネットワークを移動した後の通信上の不安定状態を早急に解消できることが望ましい。そのために、移動端末１４には接続先のサブネットワークを移動したことを検出する装置が設けられる。移動を検出した際には、ネットワーク上のルータ９やホーム・エージェント１０またはフォーリン・エージェント１１に対し、ルータ・アドバタイズメント１２またはエージェント・アドバタイズメント１３の送信を要求するソリサイテーション・パケット１５を送信する。本発明によれば、接続先ネットワークの移動検出時にあっても、前記のようにソリサイテーション・パケットを送信することで得られるルータ・アドバタイズメントまたはエージェント・アドバタイズメントに含まれるネットワーク情報から正しいネットワーク情報を取得し、通信の不安定状態を早期に解消することが可能となる。
【００３０】
移動検出装置が移動端末の移動（サブネットワークの変化）を検出するには、当該受信アドバタイズメントのプレフィックス情報の有無にかかわらず可能な限り正しいサブネット・アドレスを導出して、時間的に前後するサブネット・アドレスを比較して移動検出する方法が好ましい。また、サブネット・アドレスの比較によらず、ネットワークの移動をネットワーク移動検出装置により検出することもできる。例えば、移動端末１４が無線ネットワークを使用しているような場合には、無線の基地局から基地局へ移動端末が移動したときにネットワーク・ドライバが前記状態の変化を上位レイアへ報告されることを受けて接続先サブネットワークの移動を検出することも可能である。またこのような報告が行なわれない場合であっても、基地局のＩＤ等のデータを監視し、これらの値が変化したことを受けて接続先サブネットワークの移動を検出することも可能である。
【００３１】
これとは別に、当該移動端末にネットワーク・カードが挿入されたような場合や、ハブにケーブルを接続した場合であっても、ネットワーク・ドライバの状態変化の報告が上位レイアに対し行なわれるため、前記と同様に接続先ネットワークの移動を検出可能である。
【００３２】
このようにして、移動が検出されたのち、移動端末１４はソリタイテーション・パケットを送信する。ネットワークに接続されている、ルータ９やエージェント１０，１１は、ソリサイテーション・パケットを受信した場合には、それぞれルータ・アドバタイズメント１２やエージェント・アドバタイズメント１３を送信するので、アドバタイズメント受信装置８でこれを受信した情報から、移動端末１４は、早期に、そして正しいネットワーク情報を取得することが可能となる。
【００３３】
ネットワーク情報を確定する際エージェント・アドバタイズメントではなく、プレフィックス情報をもたないルータ・アドバタイズメントをもとにネットワーク情報を推定していた場合に、接続先サブネットワークの移動を検出したときにソリサイテーション・パケットをホーム・エージェントやフォーリン・エージェントに送信することになるため、エージェント・アドバタイズメントからプレフィックス情報を取得することができ、これによって正しいネットワーク情報を得ることも期待できる。
【００３４】
次に、移動端末が接続しているサブネットワークが移動したかどうかを判断する手順を図５に従って説明する。アドバタイズメント受信装置８がルータ・アドバタイズメントまたはエージェント・アドバタイズメントを受信した場合、そのアドバタイズメントにプレフィックス拡張部分が含まれているかどうかを判断（ステップ１８）し、含まれる場合にはプレフィックス摘出装置４が図３に示したプレフィックス拡張部１７からサブネットワークのプレフィックス情報を摘出（ステップ１９）する。逆に当該アドバタイズメントにプレフィックス情報が含まれない場合は、プレフィックス推定装置５が接続先のサブネットワークのプレフィックス値は、ネットワーク情報記憶装置１が記憶している判断直前のサブネットワークのプレフィックス値であると仮定し、これを接続先サブネットワークのプレフィックス値として推定（ステップ２０）して記憶する。
【００３５】
サブネット・アドレス計算装置３は、上記推定または摘出し記憶したプレフィックスの後に受信したルータ・アドバタイズメントまたはエージェント・アドバタイズメントから接続先ネットワークのサブネット・アドレスを導出（ステップ２１）する。つぎに、直前に受けたアドバタイズメントから導出され図１のネットワーク情報記憶装置１に記憶されていた直前のネットワーク情報を取り出す（ステップ２２）。このネットワーク情報とサブネット・アドレス計算装置３で得られたサブネット・アドレスを図１のサブネット移動検出装置２にて比較し、相違がある場合には移動端末１４が接続しているサブネットワークが変わったと認識する。
【００３６】
以上の流れによりサブネットワークが変わったと認識した場合に移動端末からソリサイテーション・パケットが送信される（ステップ２３）ので、移動端末がプレフィックス情報の含まれていないルータ・アドバタイズメントを受信して接続先ネットワークを移動したことを検出した場合でも、そのネットワークのサブネットワーク内にホーム・エージェントやフォーリン・エージェントが存在すればそれらのエージェントはアドバタイズメントを送信するのでエージェント・アドバタイズメントに含まれる正しいプレフィックス情報の取得を期待できる。
【００３７】
このソリサイテーション・パケットに対して、プレフィックス情報を持つアドバタイズメントが送信されてきたならば、アドバタイズメント受信装置８、プレフィックス抽出装置４、サブネット・アドレス計算装置３と同様の処理が行なわる。そして確定した正しいネットワーク情報は、ネットワーク情報記憶装置１の値と入れ替えて記憶される。
クラスフル・アドレスで運用されているネットワークの場合でも、通常は４５０秒以上の一定周期で送信されるエージェント・アドバタイズメントを待つことなく正しいネットワーク情報を即座に取得することが可能となる。
【００３８】
図５によって説明したアドバタイズメントを受信して接続先サブネットワークの移動を判断する手段以外に、たとえばネットワーク・カードの挿入や無線ネットワークにあっては基地局が変わったなど、何らかの方法により状態の変化を検出する装置を設けて当該移動端末の接続先のサブネットワークが移動したと判断、検出する方法もある。
【００３９】
上記のような状態変化を捕らえて、ネットワークの移動検出（ステップ２４）し、ソリサイテーション・パケットの送信（ステップ２５）を指示する。この手段により得られる効果は前記図５により得られる効果と同様である。
【００４０】
図７は移動端末１４のネットワーク・モジュール構成の一実施例を示したものである。
たとえば移動端末１４が無線ネットワークを使用している場合は、無線の基地局から基地局へ移動端末が移動したときにネットワーク・ドライバ２６が状態の変化を上位レイアのドライバに通知するような構成になっている。この場合、モバイルＩＰドライバ２７はネットワーク・ドライバ２６からの通知を受け取って、ソリサイテーション送信装置７にソリサイテーション・パケットの送信を指示すればよい。
【００４１】
ネットワーク・ドライバ２６が状態の変化を上位レイアへのドライバに通知しないような構成になっている場合であっても、たとえば基地局のＩＤ等のデータを監視し、これらの値が変化したことを根拠としてネットワークの状態が変化したと認識してソリサイテーション・パケットの送信を行なえばよい。
【００４２】
また、近年のプラグ＆プレイをサポートしたＯＳの場合、たとえば移動端末のイーサネット・ケーブルをハブに接続(Ｃｏｎｎｅｃｔ)したり、切り離し(Ｄｉｓｃｏｎｎｅｃｔ)たり、またはネットワーク・カードを挿入、排出したりした場合、ネットワーク・ドライバ２６から上位のレイアのドライバ、またはモジュールへ状態の変化が通知される。
【００４３】
たとえばネットワーク・ドライバ２６が接続(Ｃｏｎｎｅｃｔ)やネットワーク・カードの挿入といった移動端末に接続されたネットワークの変更情報をモバイルＩＰドライバ２７に通知した場合、ソリサイテーション・パケットの送信をソリサイテーション送信装置７に指示する。ネットワークの同一サブネットワーク内のホーム・エージェントやフォーリン・エージェントが要求に応えて現在移動端末が接続されているネットワークの情報を含むアドバタイズメントをサブネットワーク上に送信するので、このエージェント・アドバタイズメントに含まれるプレフィックス情報の取得を期待できる。またクラスレス・アドレスで運用されているネットワークの場合でも一定間隔で送信されているエージェント・アドバタイズメントを待たずに、正しいネットワーク情報を取得することができる。
【００４４】
【発明の効果】
本発明によれば、先にルータ・アドバタイズメントを受信したような場合にも移動端末はソリサイテーション・パケットを送信するので、サブネットワーク上にホーム・エージェントまたはフォーリン・エージェントが存在すれば、４５０秒から６００秒という一定周期で送信されるエージェント・アドバタイズメントを待つ必要がない。また受信したエージェント・アドバタイズメントから接続先サブネットワークのプレフィックス情報を確定し、移動端末が接続先のサブネットワークを移動したことやサブネットワークのプレフィックス情報が不整合になって起こる通信の不安定状態を早期に回避することができる。
【００４５】
また移動端末が何らかの方法で、接続しているサブネットワークの移動を検出できれば移動端末からソリサイテーション・パケットを送信することになるので、一定周期で送信されるルータ・アドバタイズメント、またはエージェント・アドバタイズメントを待たずに、ソリサイテーション・パケットの応答として得られたエージェント・アドバタイズメントまたはルータ・アドバタイズメントを受信することによってサブネット・アドレスやプレフィックス情報といったネットワーク情報を取得することが可能となり、前記と同様な効果を得ることができる。
【図面の簡単な説明】
【図１】本発明による移動検出装置
【図２】サブネットワーク内でのアドバタイズメントとソリサイテーションの関係
【図３】エージェント・アドバタイズメント
【図４】クラスフル・アドレス
【図５】本発明による移動検出装置のアルゴリズム（その１）
【図６】本発明による移動検出装置のアルゴリズム（その２）
【図７】ネットワーク・モジュールの構成例
【符号の説明】
１  ネットワーク情報記憶装置
２  サブネット移動検出装置
３  サブネット・アドレス計算装置
４  プレフィックス・算出装置
５  プレフィックス・推定装置
６  ネットワーク移動検出装置
７  ソリサイテーション送信装置
８  アドバタイズメント受信装置
９  ルータ
１０  ホーム・エージェント
１１  フォーリン・エージェント
１４  移動端末
【図１】
0003790124.tif 000002
【図２】
0003790124.tif 000003
【図３】
0003790124.tif 000004
【図４】
0003790124.tif 000005
【図５】
0003790124.tif 000006
【図６】
0003790124.tif 000007
【図７】
0003790124.tif 000008